(57)【要約】【課題】医療機関や製薬会社に、副作用等の情報をフィードバックさせることができる服薬管理装置を提供する。【解決手段】服薬管理装置１は、患者情報端末２から、ネットワークＮを介して通知される患者の服薬に対する回復状況を管理する管理手段２０と、患者のユーザ情報と服薬情報と回復情報とを記憶する記憶手段３０と、を備え、管理手段２０は、ユーザ情報を記憶手段３０に登録するユーザ登録手段２１と、患者情報端末２から通知される患者の服薬情報と回復情報とを記憶手段３０に記憶するとともに、症状が回復しない、または、副作用が発生したことを示す情報が回復情報に設定されている場合に、記憶手段３０に記憶されているユーザ情報と服薬情報と回復情報とを、医療機関情報端末３および製薬会社情報端末４に副作用通知として通知する回復状況管理手段２３と、を備える。【選択図】図１
2019028833.tif 000002
【特許請求の範囲】
【請求項１】
患者情報端末と医療機関情報端末と製薬会社情報端末とを、ネットワークを介して接続し、患者の服薬に対する回復状況を医療機関および製薬会社の各情報端末に通知する服薬管理装置であって、
前記ネットワークを介して、前記患者情報端末から通知される前記患者の服薬に対する回復状況を管理する管理手段と、
前記患者のユーザ情報と前記患者が服用した薬を示す服薬情報と前記患者の回復状況を示す回復情報とを記憶する記憶手段と、を備え、
前記管理手段は、
前記ユーザ情報を前記記憶手段に登録するユーザ登録手段と、
前記患者情報端末から通知される前記患者の前記服薬情報と前記回復情報とを前記記憶手段に記憶するとともに、症状が回復しない、または、副作用が発生したことを示す情報が前記回復情報に設定されている場合に、前記記憶手段に記憶されている前記ユーザ情報と前記服薬情報と前記回復情報とを、前記医療機関情報端末および前記製薬会社情報端末に通知する回復状況管理手段と、
を備えることを特徴とする服薬管理装置。
【請求項２】
薬の飲み合わせに対して予め定めた注意情報を出力する飲み合わせ判定手段をさらに備え、
前記管理手段は、前記飲み合わせ判定手段から、前記患者が服薬した薬の飲み合わせに関する注意情報を取得し、前記患者情報端末に通知することを特徴とする請求項１に記載の服薬管理装置。
【請求項３】
前記記憶手段に記憶されている前記服薬情報と前記回復情報との相関関係を統計分析する統計分析手段をさらに備えることを特徴とする請求項１に記載の服薬管理装置。
【請求項４】
前記回復情報から予め定めた判定基準で前記患者の容態を判定する容態判定手段をさらに備え、
前記管理手段は、前記容態判定手段の判定で緊急を要する症状と判定した場合に、緊急を示す情報を前記医療機関情報端末に通知することを特徴とする請求項１から請求項３のいずれか一項に記載の服薬管理装置。
【請求項５】
前記ユーザ登録手段は、前記患者情報端末または前記患者が受診した医療機関の前記医療機関情報端末から、前記ユーザ情報を取得することを特徴とする請求項１から請求項４のいずれか一項に記載の服薬管理装置。
【請求項６】
患者情報端末と医療機関情報端末と製薬会社情報端末と服薬管理装置とを、ネットワークを介して接続し、患者の服薬に対する回復状況を管理する服薬管理方法であって、
前記患者情報端末から、前記服薬管理装置に対して、前記患者のユーザ情報を登録するステップと、
前記患者情報端末から、前記患者が服用した薬を示す服薬情報と前記患者の回復状況を示す回復情報とを、前記服薬管理装置に対して通知するステップと、
症状が回復しない、または、副作用が発生したことを示す情報が前記回復情報に設定されている場合に、登録されている前記ユーザ情報と前記服薬情報と前記回復情報とを、前記医療機関情報端末および前記製薬会社情報端末に通知するステップと、
を含むことを特徴とする服薬管理方法。
【発明の詳細な説明】
【技術分野】
【０００１】
本発明は、服薬に対する患者の回復状況を管理する服薬管理装置および服薬管理方法に関する。
【背景技術】
【０００２】
従来、患者に投与される薬については、患者に配布されたお薬手帳によって、薬の服用履歴、アレルギーの有無等が管理される。そして、医師や薬剤師が、お薬手帳を参照することで、薬の飲み合わせによる事故防止等、投薬に対する安全性を高めている。
このような、薬の飲み合わせについて自動化する手法として、薬組合せサーバにより判定を行う技術が開示されている（特許文献１参照）。
【０００３】
また、従来、投与された薬による患者の回復状況は、医療機関や製薬会社にフィードバックされて、薬の改善に反映されている。
ここで、通常の薬の製薬から患者の服薬までの流れを図１６に示す。
図１６に示すように、製薬会社Ｄは、製薬した薬を医療機関Ｍに提供する。医療機関Ｍは、症状に応じた薬を患者Ｐに投与（投薬）する。そして、患者Ｐは投与された薬を服薬する。そして、患者Ｐが同一の医療機関Ｍを受診することで、診断時の状況が医療機関Ｍにフィードバックされる。また、医療機関Ｍは、患者Ｐからフィードバックした情報を、さらに製薬会社Ｄにフィードバックする。
【０００４】
このような医療（製薬、投薬、服薬）の状況において、医療機関は、お薬手帳の投薬履歴を確認することはできるが、飲み忘れ等により患者が実際に服薬しているか否かを確認することは難しい。
そこで、患者ごとの異なる生活習慣に応じた服薬スケジュールの作成、薬の重要度に合わせたアラームの設定を簡易に行うことが可能な服薬情報管理システムが開示されている（特許文献２参照）。
【先行技術文献】
【特許文献】
【０００５】
【特許文献１】特開２０１５−０９０６２７号公報
【特許文献２】特開２０１３−２５０８９０号公報
【発明の概要】
【発明が解決しようとする課題】
【０００６】
従来のお薬手帳を用いた管理や服薬情報管理システムでは、患者の回復情報が不足しているため、投薬による問題発生等が、医療機関や製薬会社へフィードバックされないという問題がある。
例えば、お薬手帳には、投薬情報の記載はあるが、服薬後における患者の回復情報の記載はない。そのため、医師や薬剤師が、お薬手帳を参照しても、問題等を製薬会社へフィードバックすることができない。
【０００７】
また、例えば、従来の服薬情報管理システムでは、薬の飲み忘れ等を防止することは可能であるが、患者が同一の医療機関を受診しなければ、回復状況を把握することができない。特に、処方された薬が合わない場合、患者は、不信感から他の医療機関を受診する傾向にある。その結果、処方した薬に対する情報は、医療機関や製薬会社にフィードバックされないことになる。
【０００８】
本発明は、このような問題に鑑みてなされたもので、患者の回復状況を管理し、適切に医療機関や製薬会社に、副作用等の情報をフィードバックさせることができる服薬管理装置および服薬管理方法を提供することを課題とする。
【課題を解決するための手段】
【０００９】
前記課題を解決するため、請求項１に記載の発明は、患者情報端末と医療機関情報端末と製薬会社情報端末とを、ネットワークを介して接続し、患者の服薬に対する回復状況を医療機関および製薬会社の各情報端末に通知する服薬管理装置であって、前記ネットワークを介して、前記患者情報端末から通知される前記患者の服薬に対する回復状況を管理する管理手段と、前記患者のユーザ情報と前記患者が服用した薬を示す服薬情報と前記患者の回復状況を示す回復情報とを記憶する記憶手段と、を備え、前記管理手段は、前記ユーザ情報を前記記憶手段に登録するユーザ登録手段と、前記患者情報端末から通知される前記患者の前記服薬情報と前記回復情報とを前記記憶手段に記憶するとともに、症状が回復しない、または、副作用が発生したことを示す情報が前記回復情報に設定されている場合に、前記記憶手段に記憶されている前記ユーザ情報と前記服薬情報と前記回復情報とを、前記医療機関情報端末および前記製薬会社情報端末に通知する回復状況管理手段と、を備えることを特徴とする。
【００１０】
また、前記課題を解決するため、請求項６に記載の発明は、患者情報端末と医療機関情報端末と製薬会社情報端末と服薬管理装置とを、ネットワークを介して接続し、患者の服薬に対する回復状況を管理する服薬管理方法であって、前記患者情報端末から、前記服薬管理装置に対して、前記患者のユーザ情報を登録するステップと、前記患者情報端末から、前記患者が服用した薬を示す服薬情報と前記患者の回復状況を示す回復情報とを、前記服薬管理装置に対して通知するステップと、症状が回復しない、または、副作用が発生したことを示す情報が前記回復情報に設定されている場合に、登録されている前記ユーザ情報と前記服薬情報と前記回復情報とを、前記医療機関情報端末および前記製薬会社情報端末に通知するステップと、を含むことを特徴とする。
【００１１】
請求項１，６に記載の発明によれば、服薬管理装置は、患者が服用した薬に対する回復状況を管理し、症状が回復しない、または、副作用が発生したときに、医療機関情報端末と製薬会社情報端末とに通知することができる。
【００１２】
また、前記課題を解決するため、請求項２に記載の発明は、請求項１に記載の服薬管理装置において、薬の飲み合わせに対して予め定めた注意事項を出力する飲み合わせ判定手段をさらに備え、前記管理手段は、前記飲み合わせ判定手段から、前記患者が服薬した薬の飲み合わせに対する注意事項を取得し、前記患者情報端末に通知することを特徴とする。
【００１３】
請求項２に記載の発明によれば、服薬管理装置は、患者が服用した薬の飲み合わせに関する注意事項を、患者情報端末に通知することができる。
【００１４】
また、前記課題を解決するため、請求項３に記載の発明は、請求項１に記載の服薬管理装置において、前記記憶手段に記憶されている前記服薬情報と前記回復情報との相関関係を統計分析する統計分析手段をさらに備えることを特徴とする。
請求項３に記載の発明によれば、服薬管理装置は、服薬情報と回復情報との相関関係を求めることで、薬の飲み合わせに対する関連性を求めることができる。
【００１５】
また、前記課題を解決するため、請求項４に記載の発明は、請求項１から請求項３のいずれか一項に記載の服薬管理装置において、前記回復情報から予め定めた判定基準で前記患者の容態を判定する容態判定手段をさらに備え、前記管理手段は、前記容態判定手段の判定で緊急を要する症状と判定した場合に、緊急を示す情報を前記医療機関情報端末に通知することを特徴とする。
【００１６】
請求項４に記載の発明によれば、服薬管理装置は、患者の容態が緊急の治療を要する場合に、医療機関情報端末に緊急事態を通知することができる。
【００１７】
また、前記課題を解決するため、請求項５に記載の発明は、請求項１から請求項４のいずれか一項に記載の服薬管理装置において、前記ユーザ登録手段は、前記患者情報端末または前記患者が受診した医療機関の前記医療機関情報端末から、前記ユーザ情報を取得することを特徴とする。
【００１８】
請求項５に記載の発明によれば、服薬管理装置は、患者の作業を減らしてユーザ登録を行うことができる。
【発明の効果】
【００１９】
本発明によれば、患者が服用した薬に対する回復状況を管理し、症状が回復しない、または、副作用が発生したときに、医療機関や製薬会社に、服用した薬や回復状況をフィードバックすることができる。これによって、本発明は、医療機関や製薬会社において、医療や製薬の品質を向上させて、患者に対して高品質な医療を提供することが可能になる。
【図面の簡単な説明】
【００２０】
【図１】本発明の実施形態に係る服薬管理装置を備えた服薬管理システムの構成を示すブロック構成図である。
【図２】ユーザ情報記憶手段に記憶するユーザ情報の例を示すデータ構造図である。
【図３】統計情報記憶手段に記憶する統計情報（服薬情報、回復情報）の例を示すデータ構造図である。
【図４】統計分析手段が行う統計分析の例を説明するための説明図である。
【図５】飲み合わせ判定手段が行う判定の例を説明するための説明図である。
【図６】容態判定手段が行う判定の例を説明するための説明図である。
【図７】容態判定手段が行う判定の他の例を説明するための説明図である。
【図８】本発明の実施形態に係る服薬管理システムの「事前登録」時の動作の例を示すシーケンス図である。
【図９】本発明の実施形態に係る服薬管理システムの「服用（発病）」時の動作の例を示すシーケンス図である。
【図１０】本発明の実施形態に係る服薬管理システムの「服用（回復）」時の動作の例を示すシーケンス図である。
【図１１】本発明の実施形態に係る服薬管理システム「服用（非回復）」時の動作の例を示すシーケンス図である。
【図１２】本発明の実施形態に係る服薬管理システムの「事前登録」時の動作の他の例を示すシーケンス図である。
【図１３】本発明の実施形態に係る服薬管理システムの「服用（発病）」時の動作の他の例を示すシーケンス図である。
【図１４】本発明の実施形態に係る服薬管理システムの「服用（回復）」時の動作の他の例を示すシーケンス図である。
【図１５】本発明の実施形態に係る服薬管理システム「服用（非回復）」時の動作の他の例を示すシーケンス図である。
【図１６】従来の薬の製薬から患者の服薬までの流れを説明するための説明図である。
【発明を実施するための形態】
【００２１】
本発明の実施形態について図面を参照して説明する。
≪服薬管理システムの概要≫
まず、図１を参照して、本発明の実施形態に係る服薬管理システムＳの概要について説明する。
【００２２】
服薬管理システムＳは、患者が服用した薬の情報と患者の回復状況とを管理し、医療機関や製薬会社に服薬に関連する情報をフィードバックするものである。
図１に示すように、服薬管理システムＳは、服薬管理装置１と、患者情報端末２と、医療機関情報端末３と、製薬会社情報端末４とを、ネットワークＮを介して接続して構成される。
【００２３】
服薬管理装置１は、患者情報端末２から通知される情報に基づいて、患者の服薬に対する回復状況を、医療機関情報端末３および製薬会社情報端末４に通知するものである。
【００２４】
患者情報端末２は、患者が保有する多機能端末、パーソナルコンピュータ等の情報端末である。患者は、患者情報端末２を介して、患者が服用した薬を示す服薬情報（病名、薬名等）および患者の回復状況を示す回復情報（回復、非回復〔回復しない、副作用あり〕等）を入力する。また、患者は、患者情報端末２を介して、服薬管理装置１から、薬の飲み合わせ等の服薬に関する情報、薬に関連する注意情報を取得する。
ユーザは、薬を服用後、定期的（毎日、診察を受ける都度等）に、患者情報端末２から、服薬情報および回復情報を、服薬管理装置１に対して送信することとする。
なお、ここでは、患者情報端末２を１台だけ図示しているが、服薬管理システムＳを利用する患者の数に応じて、複数台がネットワークＮに接続される。
【００２５】
医療機関情報端末３は、医療機関が保有する多機能端末、パーソナルコンピュータ等の情報端末である。医療機関の医師、薬剤師等は、医療機関情報端末３を介して、薬の副作用等の情報を取得する。これによって、医療機関は、薬の副作用等の情報を素早く入手し、治療の安全性を高めることができる。
なお、ここでは、医療機関情報端末３を１台だけ図示しているが、服薬管理システムＳを利用する医療機関の数に応じて、複数台がネットワークＮに接続される。
【００２６】
製薬会社情報端末４は、製薬会社が保有する多機能端末、パーソナルコンピュータ等の情報端末である。製薬会社は、製薬会社情報端末４を介して、薬の副作用等の情報を取得する。これによって、製薬会社は、薬の副作用等の情報を素早く入手し、製薬の開発に反映させることができる。
なお、ここでは、製薬会社情報端末４を１台だけ図示しているが、服薬管理システムＳを利用する製薬会社の数に応じて、複数台がネットワークＮに接続される。
【００２７】
このように、服薬管理システムＳは、患者には、飲み合わせ等の服薬に関する情報を提供し、医療機関や製薬会社には、副作用等の薬に関連する情報を提供することができる。これによって、服薬管理システムＳは、医療の安全性を高め、高品質の医療を患者に提供することができる。
以下、服薬管理装置１の構成について詳細に説明し、動作については、服薬管理装置１と、患者情報端末２、医療機関情報端末３および製薬会社情報端末４とのデータの送受信のシーケンス例で説明する。
【００２８】
≪服薬管理装置の構成≫
図１に示すように、服薬管理装置１は、通信手段１０と、管理手段２０と、記憶手段３０と、統計分析手段４０と、判定手段５０と、を備える。なお、服薬管理装置１は、服薬管理装置１を構成する各手段として機能させるための服薬管理プログラムで動作させることができる。
【００２９】
通信手段１０は、ネットワークＮを介して、患者情報端末２、医療機関情報端末３および製薬会社情報端末４と通信を行うものである。
この通信手段１０は、管理手段２０から出力されるデータを指定された患者情報端末２、医療機関情報端末３または製薬会社情報端末４に送信する。また、通信手段１０は、患者情報端末２、医療機関情報端末３または製薬会社情報端末４から受信したデータを管理手段２０に出力する。
【００３０】
管理手段２０は、患者の服薬に対する回復状況を管理するもので、服薬管理装置１全体の制御を行う。ここでは、管理手段２０は、ユーザ登録手段２１と、飲み合わせ通知手段２２と、回復状況管理手段２３と、を備える。
【００３１】
ユーザ登録手段２１は、患者情報端末２を使用するユーザの情報（ユーザ情報）をユーザ情報記憶手段３１に登録するものである。ユーザ情報は、例えば、ユーザを特定するユーザ名、性別、年齢、患者情報端末２を特定する端末情報（メールアドレス等）である。
このユーザ登録手段２１は、患者情報端末２からユーザ情報を含んだユーザ登録要求を通知されることで、ユーザごとにユーザ情報をユーザ情報記憶手段３１に登録する。
なお、ユーザ登録要求は、ユーザを特定するユーザ情報以外にも、ユーザが常用している薬やサプリメントの名称、成分等を示す服薬情報（常用服薬情報）、ユーザの健康に関連する食事（成分、カロリー、食事の回数等）や運動量（運動を行う回数〔例えば、週に２回等〕、運動強度等）を示す関連情報を付加することとしてもよい。この場合、ユーザ情報記憶手段３１にも、ユーザ情報とともに、服薬情報および関連情報を登録することとする。
【００３２】
飲み合わせ通知手段２２は、患者情報端末２から通知されるユーザ登録要求や後記する回復状況通知に含まれる服薬情報に対する薬の飲み合わせを、患者情報端末２に通知するものである。
具体的には、飲み合わせ通知手段２２は、通知された服薬情報に対して、飲み合わせ等の注意情報を患者情報端末２に送信する。ここでは、飲み合わせ通知手段２２は、判定手段５０（飲み合わせ判定手段５１）に服薬情報を出力し、その判定結果として、薬の飲み合わせや、服用した薬に対する注意情報を取得し、通信手段１０を介して、患者情報端末２に送信する。
【００３３】
回復状況管理手段２３は、患者情報端末２から通知される回復状況通知に含まれる回復状況を示す情報（回復情報）を管理するものである。回復情報は、病名に対する「発病した」、「回復した」、「回復しない」等の直接的な回復の状態を示す情報であってもよいし、頭痛の有無（程度）、体温、血圧等、回復を判定可能な情報であっても構わない。
【００３４】
具体的には、回復状況管理手段２３は、通知された回復情報に「発病」が設定されていた場合、ユーザが発病した旨と、併せて通知される服薬情報とを、日付とともに、統計分析手段４０に通知し、統計の実行を指示する。また、回復状況管理手段２３は、統計分析手段４０から出力される予め定めた統計量を患者情報端末２に送信する。予め定めた統計量とは、例えば、指定された病名に関連して、平均回復日数、年齢別平均回復日数等である。
【００３５】
すなわち、回復状況管理手段２３は、統計分析手段４０に病名を出力し、その統計結果として、病名に対する平均回復日数等の統計量を取得し、参考統計情報として、通信手段１０を介して患者情報端末２に送信する。
なお、平均回復日数等は、必ずしも発病時だけ患者情報端末２に送信されるものではなく、例えば、「回復しない」場合、残りの回復までの平均日数等であっても構わない。
【００３６】
また、回復状況管理手段２３は、通知された回復情報に「回復」が設定されていた場合、統計分析手段４０にユーザが回復した旨を通知し、統計（回復状態の更新等）の実行を指示する。
また、回復状況管理手段２３は、通知された回復情報に「非回復（回復しない、または、副作用発生）」が設定されていた場合、ユーザ情報と服薬情報と回復情報とを医療機関情報端末３および製薬会社情報端末４に副作用通知を通知する。ここで、非回復とは、回復情報に「回復しない」や「副作用発生」の情報が含まれている場合、頭痛の有無（程度）、体温、血圧等が予め定めた正常値の範囲を外れている状態が設定されている場合等をいう。なお、ここでは、回復しない場合と副作用が発生した場合とで、同じ副作用通知を通知することとするが、それぞれ異なる通知を行ってもよい。
【００３７】
そして、回復状況管理手段２３は、統計分析手段４０にユーザがまだ回復していない旨を通知し、統計（回復までの日数の更新等）の実行を指示する。
また、回復状況管理手段２３は、通知された回復情報に「回復」または「非回復」が設定されていた場合、さらに、統計分析手段４０に対して、統計量の分析を指示する。
【００３８】
また、回復状況管理手段２３は、回復情報に含まれる患者の症状に対して、緊急に治療が必要な場合、緊急フラグを副作用通知に設定して、医療機関情報端末３に送信する。すなわち、回復状況管理手段２３は、回復情報を判定手段５０（容態判定手段５２）に出力し、その判定状況に応じて緊急フラグを取得し、副作用通知に設定する。
【００３９】
なお、副作用通知を送信する製薬会社情報端末４は、予め設定されているものとする。また、副作用通知を送信する医療機関情報端末３は、患者情報端末２から通知される回復状況通知に含まれている病院名（メールアドレス等）を宛先とする。なお、この病院名は、事前登録時に登録することとしてもよい。
【００４０】
記憶手段３０は、服薬管理装置１で使用するデータベース（ユーザ情報、服薬情報、回復情報）を記憶するものである。ここでは、記憶手段３０は、ユーザ情報記憶手段３１と、統計情報記憶手段３２と、を備える。なお、記憶手段３０は、１つのハードディスク等の記憶媒体で構成し、ユーザ情報記憶手段３１および統計情報記憶手段３２を、予め定めた記憶領域として構成してもよいし、それぞれ異なる媒体に物理的に分離して構成してもよい。
【００４１】
ユーザ情報記憶手段３１は、ユーザ（患者）ごとのユーザ情報をデータベースとして記憶するものある。例えば、ユーザ情報記憶手段３１は、図２に示すユーザ情報をデータベースとして記憶する。ここでは、ユーザ情報記憶手段３１は、ユーザＡ〜Ｆごとに、性別（Ｍ：男性、Ｆ：女性）、年齢、端末情報（アドレス）、常用薬、サプリ（サプリメント）、運動量（回数および運動強度）等を記憶する例を示している。これらの情報は、管理手段２０のユーザ登録手段２１によって登録される情報である。
【００４２】
統計情報記憶手段３２は、病名ごとの統計情報（服薬情報、回復情報）をデータベースとして記憶するものある。例えば、統計情報記憶手段３２は、図３に示すように、病名ごとに統計情報をデータベースとして記憶する。ここでは、統計情報記憶手段３２は、病名に対するユーザ（患者）ごとの性別、年齢、服用した薬（名称および成分）、食事／サプリ（取得量）、運動量（回数および運動強度）、回復状態（回復〔回復：○、未回復：未〕、日数：経過日数、体温）等を記憶する例を示している。これらの情報は、管理手段２０の回復状況管理手段２３によって登録される情報である。なお、図３に示した回復状況は、患者情報端末２から、回復情報を通知されるたびに更新され、体温は、図示を省略した日付とともに記憶することとする。
【００４３】
統計分析手段４０は、統計情報記憶手段３２に記憶されている服薬情報および回復情報を統計分析するものである。例えば、統計分析手段４０は、病名ごとに、回復に相関の高い事象、例えば、どの病名に対してどの薬が効果があるのか等を分析する。なお、統計分析手段４０が行う統計分析は、一般的なものを用いればよく、例えば、カイ二乗検定等である。
この統計分析手段４０は、管理手段２０（回復状況管理手段２３）からの要求に基づいて、統計情報の新規登録、更新を行う。
【００４４】
すなわち、統計分析手段４０は、回復状況管理手段２３から発病時に通知される服薬情報により、病名に対応して図３に示したデータベースに新たなレコードを追加登録する。また、統計分析手段４０は、回復状況管理手段２３から回復時、非回復時に通知される回復情報により、図３に示したデータベースを更新する。例えば、統計分析手段４０は、回復時には、回復状態の回復の欄に「回復：○」を設定するとともに、回復までの日数を設定する。また、統計分析手段４０は、非回復時には、回復状態の回復の欄を「回復：未」のままとし、日数のみを更新する。
【００４５】
また、統計分析手段４０は、回復状況管理手段２３からの要求により、統計情報の分析を行う。
具体的には、統計分析手段４０は、図３に示した病名ごとの統計情報（データベース）をカイ二乗検定等により統計分析することで、図４に示すように、相関の高い（有意な）事象の組合せを判定する。
【００４６】
図４の例では、統計分析手段４０は、分析対象の病名の症状には、「回復」との相関から、「薬あ」、「薬い」、「薬う」は効果があり（有意）、さらに、「薬あ」、「薬い」は「タンパク質」をとることがよい（有意）と判定する。また、統計分析手段４０は、この病名の症状は、年齢が高いと回復までに日数がかかると判定する。
また、図４の例では、統計分析手段４０が予め定めた統計量として、平均回復日数を求めた例を示している。この平均回復日数は、図３に示した統計情報の回復状態で、統計分析手段４０が「回復」した「日数」の平均および分散を算出したものである。
【００４７】
この統計分析手段４０は、統計結果を、図示を省略した表示装置に表示したり、図示を省略した統計結果記憶手段に記憶したりする。この統計結果は、後記する判定手段５０の判定に反映することができる。例えば、この統計結果を服薬管理装置１の開発担当者等に開示することで、判定手段５０の判定ロジックを更新することが可能になる。
また、統計分析手段４０は、予め定めた統計量（ここでは、平均回復日数）を、管理手段（回復状況管理手段２３）に出力する。
【００４８】
判定手段５０は、薬の飲み合わせ、患者の容態に関する各種の判定を行うものである。ここでは、判定手段５０は、飲み合わせ判定手段５１と、容態判定手段５２と、を備える。
【００４９】
飲み合わせ判定手段５１は、管理手段２０から通知される服薬情報から、薬の飲み合わせの判定し、その飲み合わせに対して予め定めた注意情報を出力するものである。
この飲み合わせ判定手段５１は、例えば、図５に示すような予め定めたロジックで飲み合わせを判定する。そして、その判定結果として、注意情報を管理手段２０に出力する。
例えば、飲み合わせ判定手段５１は、管理手段２０から服薬情報として、ユーザの年齢は２３才で、ユーザが「薬あ」を服用し、食事として柑橘類を摂取し、ビタミンＸのサプリメントを服用していることを示す服薬情報が通知された場合、図５に示すように、注意情報として、「［薬あ］を服用しているときは柑橘類の摂取／ビタミンＸサプリの服用は控えましょう」を管理手段２０に出力する。
なお、図５に示す飲み合わせの判定ロジックを、さらに、病名ごとに生成しておくこととしてもよい。
また、この判定ロジックは、統計分析手段４０において、確度の高い飲み合わせの統計結果が判明した場合は、開発担当者等によって更新されることが好ましい。もちろん、確度の高い飲み合わせか否かは、医者や製薬会社に統計量を開示し、その判定結果を反映することはいうまでもない。
【００５０】
容態判定手段５２は、管理手段２０から通知される回復情報から、予め定めた判定基準で患者の容態を判定するものである。
具体的は、容態判定手段５２は、回復情報に含まれる患者の症状に対して、緊急に治療が必要か否かの判定を行い、緊急性があると判定した場合、緊急フラグをセットした判定結果を管理手段２０に出力する。
【００５１】
例えば、容態判定手段５２は、図６に示すように、患者の発熱の症状により、３９．５℃以上が連続で２日以上続いた場合、緊急フラグをセットした判定結果を管理手段２０に出力する。この場合、容態判定手段５２は、図３に示す統計情報のうちで、回復状況の体温（日付ごと）を参照し、緊急性を判定する。
【００５２】
また、例えば、容態判定手段５２は、図７に示すように、患者の頭痛の症状の度合いにより、緊急性を判定することとしてもよい。図７の例では、患者が頭痛の度合いを１０段階で評価したときの自己の主観評価を回復情報に含ませることとする。そして、容態判定手段５２は、頭痛の度合いが最大（レベル１０）である場合、あるいは、前回と今回でレベル９が連続した場合等に、緊急性があると判定し、緊急フラグをセットした判定結果を管理手段２０に出力する。
この場合、図３に示す統計情報の「回復状況」に、頭痛のレベルを記憶する領域を設けることとすればよい。
【００５３】
以上説明したように服薬管理装置１を構成することで、服薬管理装置１は、患者情報端末２から通知される服薬情報および回復情報を管理し、統計分析することで、患者に対して、患者情報端末２を介して、薬の飲み合わせ等の注意情報を提供することができる。また、服薬管理装置１は、医療機関や製薬会社に対して、医療機関情報端末３や製薬会社情報端末４を介して、薬の副作用等の情報を提供することができる。
これによって、服薬管理装置１は、医療、医薬の改善に貢献し、患者に高品質な医療を提供することができる。
【００５４】
≪服薬管理システムの動作≫
次に、図８〜図１１を参照して、本発明の実施形態に係る服薬管理システムＳの動作について説明する。
ここでは、ユーザが服薬管理装置１に対して事前に行う「事前登録」時の動作、発病時に薬を服用した段階でユーザが服薬管理装置１に対して行う「服用（発病）」時の動作、薬の服用に伴って回復した際のユーザが服薬管理装置１に対して行う「服用（回復）」時の動作、回復に至るまで、あるいは、回復に至らない場合にユーザが服薬管理装置１に対して行う「服用（非回復）」時の動作について、それぞれ分けて説明する。
【００５５】
＜「事前登録」時の動作＞
最初に、図８を参照（構成については、適宜図１参照）して、「事前登録」時の動作について説明する。
まず、服薬管理装置１は、管理手段２０によって、患者情報端末２から通知されるユーザ登録要求を、通信手段１０を介して受信する（ステップＳ１）。このユーザ登録要求には、少なくともユーザを特定するユーザ名、性別、年齢等のユーザ情報を含み、ユーザが常用している薬等の服薬情報や、ユーザの健康に関連する食事、運動等の関連情報を付加してもよい。
【００５６】
そして、服薬管理装置１は、管理手段２０のユーザ登録手段２１によって、ユーザ情報を、ユーザ情報記憶手段３１に登録する（ステップＳ２）。
さらに、服薬管理装置１は、飲み合わせ通知手段２２によって、ステップＳ１で受信したユーザ登録要求に服薬情報が含まれている場合、服薬情報を判定手段５０に出力し、飲み合わせの判定を要求する（ステップＳ３）。
【００５７】
そして、服薬管理装置１は、判定手段５０の飲み合わせ判定手段５１によって、ステップＳ３の判定要求に含まれる服薬情報から、薬の飲み合わせの判定を行う（ステップＳ４）。続けて、判定手段５０の飲み合わせ判定手段５１は、判定結果（注意情報）を管理手段２０（飲み合わせ通知手段２２）に出力する（ステップＳ５）。
【００５８】
そして、服薬管理装置１は、管理手段２０の飲み合わせ通知手段２２によって、ステップＳ５で取得した判定結果である飲み合わせ情報（注意情報）を、通信手段１０を介して、ユーザ登録要求を通知した患者情報端末２に送信する（ステップＳ６）。
以上の動作によって、服薬管理装置１は、ユーザの登録を完了し、常用薬の服用がある場合、飲み合わせ情報をユーザに提供することができる。
【００５９】
＜「服用（発病）」時の動作＞
次に、図９を参照（構成については、適宜図１参照）して、「服用（発病）」時の動作について説明する。
まず、服薬管理装置１は、管理手段２０によって、患者情報端末２から通知される回復状況通知を、通信手段１０を介して受信する（ステップＳ１０）。この回復状況通知には、ユーザを識別する情報、病院名、服薬情報、回復情報等が含まれる。なお、これらの情報は、患者情報端末２を操作するユーザ（患者）が、予め定めた画面に表示されるメニューに該当事項を入力することで設定される。そして、回復情報に「発病」が設定されている場合、服薬管理装置１は、以下の動作を行う。
【００６０】
服薬管理装置１は、管理手段２０の飲み合わせ通知手段２２によって、服薬情報を判定手段５０に出力し、飲み合わせの判定を要求する（ステップＳ１１）。
そして、服薬管理装置１は、判定手段５０の飲み合わせ判定手段５１によって、ステップＳ１１の判定要求に含まれる服薬情報から、薬の飲み合わせの判定を行う（ステップＳ１２）。続けて、判定手段５０の飲み合わせ判定手段５１は、判定結果（注意情報）を管理手段２０（飲み合わせ通知手段２２）に出力する（ステップＳ１３）。
【００６１】
そして、服薬管理装置１は、飲み合わせ通知手段２２によって、ステップＳ１３で取得した判定結果である飲み合わせ情報（注意情報）を、通信手段１０を介して、回復状況通知を通知した患者情報端末２に送信する（ステップＳ１４）。
さらに、服薬管理装置１は、回復状況管理手段２３によって、予め定めた統計量の統計を行うことを、統計分析手段４０に要求する（ステップＳ１５）。ここでは、予め定めた統計量を、平均回復日数とする。
【００６２】
そして、服薬管理装置１は、統計分析手段４０によって、図３に示した統計情報から、「回復」に要した「日数」の統計量（平均および分散）を平均回復日数として算出する（ステップＳ１６）。
そして、統計分析手段４０は、統計量である平均回復日数を、管理手段２０（回復状況管理手段２３）に出力する（ステップＳ１７）。
そして、服薬管理装置１は、回復状況管理手段２３によって、ステップＳ１７で取得した統計量（平均回復日数）を参考統計情報として、通信手段１０を介して、回復状況通知を通知した患者情報端末２に送信する（ステップＳ１８）。
【００６３】
さらに、服薬管理装置１は、回復状況管理手段２３によって、ステップＳ１０で通知された回復状況通知に含まれる服薬情報、関連情報により、病名に対応して図３に示したデータベースに新たなレコードの追加登録を指示する（ステップＳ１９）。なお、食事、運動量等の関連情報は、回復状況通知に含まれていない場合、ユーザ情報記憶手段３１に記憶されている関連情報を登録することとしてもよい。
そして、服薬管理装置１は、統計分析手段４０によって、データベースを追加更新する（ステップＳ２０）。
以上の動作によって、服薬管理装置１は、発病時おいて、服用する薬の飲み合わせ情報をユーザに提供することができる。また、ここでは、服薬管理装置１は、統計量として、平均回復日数をユーザに提供することができる。
【００６４】
＜「服用（回復）」時の動作＞
次に、図１０を参照（構成については、適宜図１参照）して、「服用（回復）」時の動作について説明する。
まず、服薬管理装置１は、管理手段２０によって、患者情報端末２から通知される回復状況通知を、通信手段１０を介して受信する（ステップＳ３０）。この回復状況通知には、ユーザを識別する情報、病院名、服薬情報、回復情報等が含まれる。なお、これらの情報は、患者情報端末２を操作するユーザ（患者）が、予め定めた画面に表示されるメニューに該当事項を入力することで設定される。ただし、病院名や服薬情報は、図９で説明した「服用（発病）」時のステップＳ１０で通知してある場合は、必ずしも回復状況通知に設定する必要はない。
そして、服薬管理装置１は、回復情報に「回復」が設定されている場合、以下の動作を行う。
【００６５】
服薬管理装置１は、管理手段２０の回復状況管理手段２３によって、統計分析手段４０に対して、回復情報を出力し、統計情報記憶手段３２に記憶されている統計情報の更新（例えば、図３に示した回復状態等の更新）とともに、統計分析を要求する（ステップＳ３１）。
そして、服薬管理装置１は、統計分析手段４０によって、カイ二乗検定等の統計分析手法により、統計情報記憶手段３２に記憶されている統計情報を分析する（ステップＳ３２）。この分析結果は、判定手段５０の判定ロジックを更新する際に活用される。
以上の動作によって、服薬管理装置１は、服薬に対する統計分析を行うことができ、病気に対して副作用がなく効果のある薬を統計的に導き出すことができる。
【００６６】
＜「服用（非回復）」時の動作＞
次に、図１１を参照（構成については、適宜図１参照）して、「服用（非回復）」時の動作について説明する。
まず、服薬管理装置１は、管理手段２０によって、患者情報端末２から通知される回復状況通知を、通信手段１０を介して受信する（ステップＳ４０）。この回復状況通知には、ユーザを識別する情報、病院名、服薬情報、回復情報等が含まれる。なお、これらの情報は、患者情報端末２を操作するユーザ（患者）が、予め定めた画面に表示されるメニューに該当事項を入力することで設定される。ただし、病院名や服薬情報は、図９で説明した「服用（発病）」時のステップＳ１０で通知してある場合は、必ずしも回復状況通知に設定する必要はない。
そして、回復情報に「非回復」が設定されている場合、服薬管理装置１は、以下の動作を行う。
【００６７】
服薬管理装置１は、管理手段２０の回復状況管理手段２３によって、受信した回復情報と服薬情報とを判定手段５０に出力し、容態の判定と薬の飲み合わせの判定とを要求する（ステップＳ４１）。
そして、服薬管理装置１は、容態判定手段５２によって、回復情報に含まれる患者の症状に対して、緊急に治療が必要か否かの判定を行う（ステップＳ４２）。このとき、回復状況管理手段２３は、緊急性の有無を示す情報（緊急フラグがセットされるか否か）を付加した判定結果（注意情報）を生成する。
【００６８】
そして、容態判定手段５２は、判定結果を、管理手段２０（回復状況管理手段２３）に出力する（ステップＳ４３）。
その後、服薬管理装置１は、回復状況管理手段２３によって、記憶手段３０に記憶されているユーザ（患者）に対応するユーザ情報、服薬情報、食事、運動量、回復情報等の各種データを含んだ副作用通知を、通信手段１０を介して、製薬会社情報端末４に送信する（ステップＳ４４）。
【００６９】
さらに、服薬管理装置１は、回復状況管理手段２３によって、ステップＳ４４で送信した副作用通知と同様の内容を含んだ副作用通知を、通信手段１０を介して、ステップＳ４０で通知された病院に対応する医療機関情報端末３に送信する（ステップＳ４５Ａ，Ｓ４５Ｂ）。
【００７０】
このとき、ステップＳ４３で取得した判定結果に緊急フラグが設定されている場合（緊急時）、回復状況管理手段２３は、副作用通知に緊急フラグを設定して、医療機関情報端末３に送信する（ステップＳ４５Ａ）。このとき、緊急フラグが設定されている副作用通知を医療機関情報端末３で受信した医療機関は、患者に対するカウンセリング、救急車の手配等を行う。
一方、判定結果に緊急フラグが設定されていない場合（非緊急時）、回復状況管理手段２３は、緊急フラグを設定せずに、医療機関情報端末３に副作用通知を送信する（ステップＳ４５Ｂ）。
【００７１】
さらに、回復状況管理手段２３は、ステップＳ４３で取得した判定結果として取得した薬の飲み合わせに対する通知内容を注意情報として、通信手段１０を介して、患者情報端末２に送信する（ステップＳ４６）。
【００７２】
また、服薬管理装置１は、管理手段２０の回復状況管理手段２３によって、統計分析手段４０に対して、回復情報を出力し、統計情報記憶手段３２に記憶されている統計情報の更新（例えば、図３に示した回復状態等の更新）とともに、統計分析を要求する（ステップＳ４７）。
そして、服薬管理装置１は、統計分析手段４０によって、カイ二乗検定等の統計分析手法により、統計情報記憶手段３２に記憶されている統計情報を分析する（ステップＳ４８）。この分析結果は、判定手段５０の判定ロジックを更新する際に活用される。
以上の動作によって、服薬管理装置１は、服薬に対して発生した副作用等の情報を、医療機関や製薬会社にフィードバックすることができる。
【００７３】
以上、本発明の実施形態に係る服薬管理システムＳおよび服薬管理装置１の構成および動作について説明したが、本発明は、この実施形態に限定されるものではない。
ここでは、事前登録や発病時に、患者情報端末２がユーザ登録要求や回復状況通知を、服薬管理装置１に対して行うこととした。しかし、ユーザ登録要求や回復状況通知は、患者が受診した医療機関の医療機関情報端末３から診断時に行うこととしてもよい。
【００７４】
例えば、図８の「事前登録」時の動作において、ステップＳ１の代わりに、図１２に示すステップＳ１Ｂの動作を行えばよい。なお、図１２のステップＳ１Ｂ以外の動作は、図８で説明した動作と同じである。
また、図９の「服用（発病）」時の動作において、ステップＳ１０の代わりに、図１３に示すステップＳ１０Ｂの動作を行えばよい。なお、図１３のステップＳ１０Ｂ以外の動作は、図８で説明した動作と同じである。
これによって、患者が行う作業を軽減することができる。
【００７５】
また、ここでは、回復状況通知を、患者が患者情報端末２の画面上で入力し、服薬管理装置１へ通知することとした。しかし、回復状況通知は、例えば、患者が、血圧、心拍数、体温等を計測するヘルスセンサから入力される各数値を、患者情報端末２が定期的に回復状況通知に設定して、服薬管理装置１へ通知することとしてもよい。この場合、服薬情報等の回復情報以外の情報は、「服用（発病）」時に設定した情報を患者情報端末２が保持し、回復情報とともに通知することとすればよい。
【００７６】
例えば、図１０の「服用（回復）」時の動作において、ステップＳ３０の代わりに、図１４に示すステップＳ３０Ｂの動作を行えばよい。なお、図１４のステップＳ３０Ｂ以外の動作は、図１０で説明した動作と同じである。
また、図１１の「服用（非回復）」時の動作において、ステップＳ４０の代わりに、図１５に示すステップＳ４０Ｂの動作を行えばよい。なお、図１５のステップＳ４０Ｂ以外の動作は、図１１で説明した動作と同じである。
これによって、患者が行う作業を軽減することができる。
【符号の説明】
【００７７】
Ｓ      服薬管理システム
１      服薬管理装置
１０    通信手段
２０    管理手段
２１    ユーザ登録手段
２２    飲み合わせ通知手段
２３    回復状況管理手段
３０    記憶手段
３１    ユーザ情報記憶手段
３２    統計情報記憶手段
４０    統計分析手段
５０    判定手段
５１    飲み合わせ判定手段
５２    容態判定手段
２      患者情報端末
３      医療機関情報端末
４      製薬会社情報端末
【図１】
2019028833.tif 000003
【図２】
2019028833.tif 000004
【図３】
2019028833.tif 000005
【図４】
2019028833.tif 000006
【図５】
2019028833.tif 000007
【図６】
2019028833.tif 000008
【図７】
2019028833.tif 000009
【図８】
2019028833.tif 000010
【図９】
2019028833.tif 000011
【図１０】
2019028833.tif 000012
【図１１】
2019028833.tif 000013
【図１２】
2019028833.tif 000014
【図１３】
2019028833.tif 000015
【図１４】
2019028833.tif 000016
【図１５】
2019028833.tif 000017
【図１６】
2019028833.tif 000018